(57)【特許請求の範囲】
【請求項１】
ＣＣＤに電荷転送用のパルスを印加する駆動回路と、この駆動回路に前記パルスの生成に必要とされる電圧を付与する電源回路とを備えるＣＣＤ駆動装置において、
前記ＣＣＤの電荷転送動作に先立ち、前記電源回路から前記駆動回路に付与する電圧を一時的に過昇圧させる過昇圧手段を設けた
ことを特徴とするＣＣＤ駆動装置。
【請求項２】
前記電源回路は、前記駆動回路に付与する電圧を定電圧化する定電圧制御手段を備え、前記過昇圧手段は、その過昇圧動作に際して前記定電圧制御手段を非能動とする
請求項１記載のＣＣＤ駆動装置。
【請求項３】
前記電源回路はチャージポンプ式昇圧回路を備えてなり、前記定電圧制御手段は、このチャージポンプ式昇圧回路に印加するクロックを間引きすることで前記駆動回路に付与する電圧を定電圧化するものであり、前記過昇圧手段は、前記定電圧制御手段による前記クロックの間引きを禁止することで前記駆動回路に付与する電圧を一時的に過昇圧させるものである
請求項２記載のＣＣＤ駆動装置。
【請求項４】
請求項１〜３のいずれかに記載のＣＣＤ駆動装置において、
前記ＣＣＤは光電変換を行う撮像部と該光電変換された電荷を一時的に蓄えておく蓄積部とが素子内に分離して配置されたフレームトランスファ型のＣＣＤであり、
前記駆動回路は、同ＣＣＤの前記撮像部から前記蓄積部に対する電荷の一括転送を行う垂直ドライバを含む
ことを特徴とするＣＣＤ駆動装置。
【請求項５】
請求項１〜４のいずれかに記載のＣＣＤ駆動装置において、
前記駆動回路と前記電源回路とは１チップの半導体集積回路装置として一体化されてなる
ことを特徴とするＣＣＤ駆動装置。
【請求項６】
前記電源回路は、前記ＣＣＤからの撮像信号出力が停止されている期間を利用して励振される
請求項５記載のＣＣＤ駆動装置。
【発明の詳細な説明】
【０００１】
【発明の属する技術分野】
本発明は、固体撮像素子であるＣＣＤ（Charge Coupled Device ）を駆動するＣＣＤ駆動装置に関する。
【０００２】
【従来の技術】
周知のように、各種カメラ等の撮像素子としてＣＣＤイメージセンサが広く用いられている。そして、このＣＣＤイメージセンサとしては、
（イ）光の利用効率を高める。
（ロ）画素の高密度化（高解像度化）を容易とする。
等々の意図のもとに、光電変換を行う撮像部と該光電変換された電荷を一時的に蓄えておく蓄積部とを素子内に分離して配置したフレームトランスファ型のものが知られている。
【０００３】
このフレームトランスファ型ＣＣＤは、上記撮像部及び蓄積部に加え、この蓄積部に蓄えられた電荷を出力するための水平転送部を備えて構成されるもので、大きくは、（１）撮像部にて光電変換された電荷を所定のタイミングで一括して蓄積部に転送する動作（垂直転送）、及び（２）蓄積部に転送、蓄積された電荷を水平転送部を通じて１行ずつ高速に出力部に転送する動作（水平転送）、といった２つの動作を繰り返し実行する。
【０００４】
そして、フレームトランスファ型ＣＣＤのこうした動作を実現するために、その駆動回路も、上記撮像部及び蓄積部に設けられた各ゲートに対して上記垂直転送のためのパルスを印加する垂直ドライバ、及び上記蓄積部及び水平転送部に設けられた各ゲートに対して上記水平転送のためのパルスを印加する水平ドライバをそれぞれ備える構成となっている。
【０００５】
なお、上記垂直ドライバ及び水平ドライバからそれぞれ出力される各パルスの発生タイミングは、システムクロックに基づいてそれら用途に応じたタイミングクロックを生成するタイミング発生回路からの出力に応じて決定される。
【０００６】
また、上記垂直ドライバ及び水平ドライバからそれぞれ出力される各パルスの波高値、すなわちパルス電圧は、システム電圧、あるいは該システム電圧を所定に昇、降圧する電源回路を通じて、それぞれ必要とされる電圧レベルが確保される。
【０００７】
【発明が解決しようとする課題】
フレームトランスファ型ＣＣＤにあってはこのように、垂直ドライバから印加されるパルスに基づいてその撮像信号、すなわち撮像部にて光電変換された電荷の蓄積部への垂直転送が行われ、さらに水平ドライバから印加されるパルスに基づいて同転送、蓄積された電荷の水平転送部を通じた水平転送が行われる。
【０００８】
ただし通常、上記蓄積部への垂直転送には高電圧が必要とされるため、たとえ上記電源回路を通じてその必要とされる電圧が確保されている場合であれ、同垂直転送時には、それに伴って一時的に大きな電圧降下が生じるようになる。しかも、こうして電圧降下が生じた場合にはその所望とされる電圧への復帰にも所要の時間を要するようになる。
【０００９】
いずれにせよ、上記垂直転送に際してこのような電圧降下が生じる場合には、同垂直転送にかかる動作そのものに及ぼす影響も無視できないものとなる。
なお、こうしたフレームトランスファ型ＣＣＤに限らず、光電変換を行う撮像段と該光電変換された電荷を水平転送部に転送する転送段とが各々並列結合されてなるインターライン型ＣＣＤにあっても、その電荷転送にはやはり高電圧が必要とされるものであり、これを駆動する装置としてのこうした実情も、概ね共通したものとなっている。
【００１０】
本発明は、上記実情に鑑みてなされたものであり、その目的は、ＣＣＤの駆動に際し、一時的に高電圧の印加が必要とされる場合であれ、その安定した動作を保証するＣＣＤ駆動装置を提供することにある。
【００１１】
【課題を解決するための手段】
以下、上記目的を達成するための手段及びその作用効果について記載する。
請求項１記載の発明は、ＣＣＤに電荷転送用のパルスを印加する駆動回路と、この駆動回路に前記パルスの生成に必要とされる電圧を付与する電源回路とを備えるＣＣＤ駆動装置において、前記ＣＣＤの電荷転送動作に先立ち、前記電源回路から前記駆動回路に付与する電圧を一時的に過昇圧させる過昇圧手段を設けたことをその要旨とする。
【００１２】
ＣＣＤの電荷転送動作には高電圧が必要とされることは前述の通りであるが、ＣＣＤ駆動装置としてのこうした構成によれば、この電荷転送動作に伴って前記電圧降下が生じる前に、電源回路から駆動回路に付与される電圧が一時的に過昇圧されるため、同電圧降下が最小限に抑制されるようになる。また、こうして電圧降下が最小限に抑制されることで、所望とされる電圧への復帰時間も大幅に短縮され、ＣＣＤの安定した動作が保証されるようになる。なおここで、昇圧とは、駆動回路に付与する電圧が正電圧であればこれを正側に持ち上げ、同駆動回路に付与する電圧が負電圧であればこれを負側に引き下げることをいう。
【００１３】
請求項２記載の発明は、請求項１記載の発明において、前記電源回路は、前記駆動回路に付与する電圧を定電圧化する定電圧制御手段を備え、前記過昇圧手段は、その過昇圧動作に際して前記定電圧制御手段を非能動とすることをその要旨とする。
【００１４】
上記構成によれば、電源回路から駆動回路に付与する電圧についてこれを一時的に過昇圧させる場合であれ、同電圧の定電圧化と過昇圧との好適な両立を図ることができる。
【００１５】
請求項３記載の発明は、請求項２記載の発明において、前記電源回路はチャージポンプ式昇圧回路を備えてなり、前記定電圧制御手段は、このチャージポンプ式昇圧回路に印加するクロックを間引きすることで前記駆動回路に付与する電圧を定電圧化するものであり、前記過昇圧手段は、前記定電圧制御手段による前記クロックの間引きを禁止することで前記駆動回路に付与する電圧を一時的に過昇圧させるものであることをその要旨とする。
【００１６】
上記構成によれば、電源回路をコンパクトに形成することができるとともに、チャージポンプ式昇圧回路に印加するクロックを間引くといった、比較的簡素な制御を通じて上述した定電圧化と過昇圧との両立が可能となる。
【００１７】
請求項４記載の発明は、請求項１〜３のいずれかに記載の発明において、前記ＣＣＤは光電変換を行う撮像部と該光電変換された電荷を一時的に蓄えておく蓄積部とが素子内に分離して配置されたフレームトランスファ型のＣＣＤであり、前記駆動回路は、同ＣＣＤの前記撮像部から前記蓄積部に対する電荷の一括転送を行う垂直ドライバであることをその要旨とする。
【００１８】
上記構成によれば、フレームトランスファ型ＣＣＤの前述した垂直転送に伴う電圧降下を好適に抑制することができるようになり、ひいては同フレームトランスファ型ＣＣＤの駆動装置として、その安定した動作を保証することができるようになる。
【００１９】
請求項５記載の発明は、請求項１〜４のいずれかに記載の発明において、前記駆動回路と前記電源回路とは１チップの半導体集積回路装置として一体化されてなることをその要旨とする。
【００２０】
上記構成によれば、ＣＣＤ駆動装置としてのコストの低減や歩留まりの向上を図ることができるようになる。また、同構成は、上記請求項３記載の発明や上記請求項４記載の発明に適用されることで、その実現がより容易となるものであり、特に同構成が上記請求項４記載の発明に適用されることは、フレームトランスファ型ＣＣＤの駆動回路のうち、半導体集積回路装置として、より高い耐圧構造が要求される垂直ドライバと、半導体集積回路装置としては本来が高い耐圧構造が要求される電源回路とが１チップとして一体化されることでもあり、同半導体集積回路装置としての構造的な、あるいはその製造方法的な観点から見ても格別の意義がある。
【００２１】
請求項６記載の発明は、請求項５記載の発明において、前記電源回路は、前記ＣＣＤからの撮像信号出力が停止されている期間を利用して励振されることをその要旨とする。
【００２２】
上述のように、駆動回路と電源回路とを１チップの半導体集積回路装置として一体化する場合、電源回路の励振に用いられる信号（昇圧クロック）がＣＣＤから出力される撮像信号に飛び込むなど、ノイズ発生の原因となることが懸念される。この点、上記構成によれば、ＣＣＤが撮像信号を出力しない期間を利用して電源回路の励振が行われるため、これら各回路を１チップの半導体集積回路装置として一体化する場合であっても、こうしたノイズの発生は好適に回避されるようになる。
【００２３】
【発明の実施の形態】
以下、本発明にかかるＣＣＤ駆動装置を前述したフレームトランスファ型ＣＣＤの駆動装置として具体化した一実施の形態について、図１〜図３に従って説明する。
【００２４】
図１は、本実施形態の駆動装置、及びその駆動対象となるＣＣＤイメージセンサについてその構成を示すブロック図である。
図１に示されるＣＣＤイメージセンサ１００は、光電変換を行う撮像部１１０と、この光電変換された電荷を一時的に蓄えておく蓄積部１２０と、同蓄積部１２０に蓄えられた電荷を図示しない出力部に出力するための水平転送部１３０とを有して構成されている。
【００２５】
ここで、これら撮像部１１０、蓄積部１２０及び水平転送部１３０の機能、動作について更に説明する。
まず、撮像部１１０では、照射された光像に対応した光電変換が行われる。そして、この光電変換により発生する電荷の量は光の強度と蓄積時間とに比例するため、同光電変換によって各画素毎に発生する電荷のパターンに対応して撮像信号が形成される。
【００２６】
この画素毎に光電変換された電荷は、前述した垂直転送の期間に、蓄積部１２０に対し１フレーム毎に高速転送（フレームシフト）される。このフレームシフトの終了時には、上記撮像部１１０にて光電変換された電荷が全て蓄積部１２０に移されているため、この蓄積部１２０には、上記撮像部１１０に発生した電荷パターンと同様の電荷パターンが形成されるようになる。そして、この蓄積部に形成された電荷パターンは次に、前述した水平転送動作を通じて図示しない信号処理系に出力される。
【００２７】
この水平転送に際しては、蓄積部１２０に一時的に蓄積された電荷パターンが、水平転送部１３０によって１ライン毎に高速に出力部（図示略）に転送され、この出力部に転送された信号が、当該ＣＣＤイメージセンサ１００の撮像信号として上記信号処理系に出力される。そして、この水平転送期間を利用して、上記撮像部１１０による次の光像に対しての光電変換が実行される。
【００２８】
一方、ＣＣＤイメージセンサ１００にあっては、撮像部１１０の非光電変換期間に発生した不要電荷をドレイン（図示略）に排出するといった電子シャッタ動作も行われる。
【００２９】
次に、ＣＣＤイメージセンサ１００のこうした動作を実現する本実施形態の駆動装置について説明する。
同図１に示されるように、本実施形態の駆動装置は、大きくは、電源・駆動回路ＩＣ２００と、水平ドライバ３００と、タイミング発生部４００とを備えて構成される。このうち、電源・駆動回路ＩＣ２００は、電源回路を構成する低電圧発生用チャージポンプ２１０及び高電圧発生用チャージポンプ２２０及び制御部２３０と、駆動回路を構成する垂直ドライバ２４０及び電子シャッタ２５０とが、１チップのＩＣ（半導体集積回路装置）として一体化されたものである。
【００３０】
ここで、垂直ドライバ２４０は、ＣＣＤイメージセンサ１００の上記撮像部１１０及び蓄積部１２０にそれぞれ設けられているゲート（図示せず）に駆動パルス（フレームシフトパルス）ＦＳＰを出力することで、前記電荷の垂直転送を行わせる回路であり、また電子シャッタ２５０は、上記撮像部１１０に対し必要に応じて上述した電荷の排出のための駆動パルスＥＳＰを出力することで、上記電子シャッタ動作を実現させるための回路である。これら垂直ドライバ２４０及び電子シャッタ２５０から出力される上記各駆動パルスＦＳＰ，ＥＳＰの出力タイミングは、タイミング発生部４００から出力されるタイミング信号ＴＶ，ＴＳに応じてそれぞれ決定される。また、同垂直ドライバ２４０及び電子シャッタ２５０から出力される上記駆動パルスＦＳＰ，ＥＳＰの波高値、すなわちパルス電圧は、電源回路を構成する上記低電圧発生用チャージポンプ２１０の出力電圧ＶＳＳ（例えば−６Ｖ）、及びシステム電源電圧ＶＤＤ（例えば３．３Ｖ）を通じて確保される。
【００３１】
この低電圧発生用チャージポンプ２１０は、同じく電源回路を構成する上記制御部２３０から印加される昇圧クロックＣＬＫ１に基づいて負電圧側への昇圧動作を行うものであり、例えば図２に例示する回路として構成されている。ちなみに、この図２に例示するチャージポンプ回路においては、上記制御部２３０から印加される昇圧クロックＣＬＫ１によって、その出力電圧ＶＳＳが、例えばコンデンサ２１１においては「−３．３Ｖ」まで、またコンデンサ２１２においては「−６．６Ｖ」まで、更にコンデンサ２１３においては「−９．９Ｖ」まで、理論上は昇圧される。なお、この昇圧クロックＣＬＫ１は、タイミング発生部４００から出力されるクロックＣＬＫが制御部２３０を通じて間引きされたものであり、同制御部２３０では、低電圧発生用チャージポンプ２１０の出力電圧ＶＳＳをモニタしつつ、これが所定の電圧、例えば「−６Ｖ」に保持されるように上記クロックＣＬＫの間引き態様をコントロールすることで、この出力電圧ＶＳＳについての定電圧制御を実行している。また、同図２に例示するチャージポンプ回路において、上記各コンデンサ２１１、２１２及び２１３等は、電源・駆動回路ＩＣ２００に対して外付けされている。
【００３２】
また、高電圧発生用チャージポンプ２２０も、基本的には上記低電圧発生用チャージポンプ２１０と同等のチャージポンプ回路を有して構成されるもので、これも同様に、上記制御部２３０を通じてその出力電圧ＶＢが定電圧制御されている。なお、この出力電圧ＶＢ（例えば＋８Ｖ）は、ＣＣＤイメージセンサ１００に対するバイアス電圧として利用される。
【００３３】
一方、水平ドライバ３００は、ＣＣＤイメージセンサ１００の上記蓄積部１２０及び水平転送部１３０にそれぞれ設けられているゲート（図示略）に駆動パルスＨＴＰを出力することで前記電荷の水平転送を行わせる回路である。この水平ドライバ３００から出力される駆動パルスＨＴＰの出力タイミングは、タイミング発生部４００から出力されるタイミング信号ＴＨに応じて決定される。また、ＣＣＤイメージセンサ１００の上述した垂直転送動作には高電圧が必要とされるために、その駆動パルス（フレームシフトパルス）ＦＳＰの生成にも、上記電源回路による昇圧が必要とされたが、同ＣＣＤイメージセンサ１００の水平転送動作にはそれほど高い電圧は必要とされない。このため、この水平ドライバ３００から出力される上記駆動パルスＨＴＰの波高値、すなわちパルス電圧は、システム電源電圧ＶＤＤ（例えば３．３Ｖ）のみによって確保されている。
【００３４】
ところで、本実施形態においては前述したように、電源回路を構成する低電圧発生用チャージポンプ２１０及び高電圧発生用チャージポンプ２２０及び制御部２３０と、駆動回路を構成する垂直ドライバ２４０及び電子シャッタ２５０とを１チップの電源・駆動回路ＩＣ２００として一体化したことで、それら駆動回路と電源回路とを一括して製造することが可能となり、ＣＣＤ駆動装置としてのコストの低減や歩留まりの向上を図ることができるようになっている。また、これら駆動回路や電源回路が別途の半導体集積回路装置として形成される場合には、基板等に対するそれら装置の搭載上の制約も避けがたいものとなるが、本実施形態の同構成によれば、こうした問題も回避され、ＣＣＤ駆動装置としての更なる小型化を促進するものともなっている。
【００３５】
ただし、こうして駆動回路と電源回路とが一体化される場合、電源回路の励振に用いられる信号、すなわち昇圧クロックＣＬＫ１及びＣＬＫ２がＣＣＤイメージセンサ１００から出力される撮像信号に飛び込むなど、ノイズの発生の原因となることが新たに懸念される。
【００３６】
そこで、本実施形態においては、上記ＣＣＤイメージセンサ１００から撮像信号の出力が停止されている期間を利用して、上記タイミング発生部４００から上記制御部２３０に昇圧クロックＣＬＫが印加されるように、同タイミング発生部４００のタイミング設定がなされている。
【００３７】
また、こうしたＣＣＤイメージセンサ１００の駆動に際しては、その垂直転送動作が高負荷で行われることに起因して高電圧が必要とされるため、たとえ上記電源回路を通じてその必要とされる電圧が確保されている場合であれ、同垂直転送時には、それに伴って一時的に大きな電圧降下が生じることも懸念される。しかも、こうして電圧降下が生じた場合には、その所望とされる電圧への復帰にも所要の時間を要するようになる。そしていずれにせよ、こうした電圧降下が生じる場合には、同垂直転送にかかる動作そのものに及ぼす影響も無視できないものとなる。
【００３８】
そこで、本実施形態においては、昇圧クロックＣＬＫの上記態様でのタイミング設定に併せて、ＣＣＤイメージセンサ１００の上記垂直転送動作に先立ち、電源回路、特に低電圧発生用チャージポンプ２１０から垂直ドライバ２４０や電子シャッタ２５０に付与される電圧ＶＳＳを一時的に過昇圧させるようにしている。そして本実施形態において、この過昇圧は、上記垂直転送動作の直前に、タイミング発生部４００から電源回路を構成する制御部２３０に対してプリチャージ指令信号ＰＣＧを送り、同制御部２３０では、このプリチャージ指令信号ＰＣＧが加えられることに基づいて、所定期間、低電圧発生用チャージポンプ２１０に対する上述した定電圧制御を停止する、すなわち上記昇圧クロックＣＬＫの間引きを停止する、といった動作によって実現される。
【００３９】
図３は、本実施形態のＣＣＤ駆動装置のこうしたタイミング設定、及び過昇圧（プリチャージ）にかかる動作態様を示したものであり、以下、同図３を併せ参照して、同ＣＣＤ駆動装置のこれらタイミング設定動作、並びに過昇圧動作を更に詳述する。
【００４０】
まず図３（ａ）に示されるように、撮像信号は、１撮像画像中の１水平ライン毎の信号（１ラインデータ）として水平転送される。ここで、このデータ転送に際しては周知のように、各１ラインデータが転送される毎に水平ブランキング期間が設けられ、また１撮像画像分のラインデータ（インターレース式を想定しているため、実際には１フィールド分のデータ）が転送される毎に垂直ブランキング期間が設けられる。これら水平ブランキング期間及び垂直ブランキング期間は、ＣＲＴ（Ｃａｔｈｏｄｅ  Ｒａｙ  Ｔｕｂｅ）表示装置の走査特性に対応させるために設けられるものである。
【００４１】
このような撮像信号の転送態様に対し、本実施形態のＣＣＤ駆動装置では上述のように、その出力停止期間、すなわち上記水平ブランキング期間及び垂直ブランキング期間を利用して、基本的には図３（ｂ）に示される態様で、タイミング発生部４００から制御部２３０に対する昇圧クロックＣＬＫの印加が行われる。なお、この図３（ｂ）は、制御部２３０から低電圧発生用チャージポンプ２１０に印加される昇圧クロックＣＬＫ１についてその印加態様を示したものであり、実際には、同制御部２３０を通じて、上述した定電圧制御を行うためのクロックの間引きが行われている。
【００４２】
このように、ＣＣＤイメージセンサ１００から撮像信号が出力されない期間を利用して電源回路の励振が行われるようにすることで、その励振に用いられる信号（昇圧クロック）が撮像信号に飛び込むなどによるノイズの発生は好適に回避されるようになる。
【００４３】
一方、本実施形態のＣＣＤ駆動装置にあっては、ＣＣＤイメージセンサ１００の前記垂直転送動作に先立ち、例えば図３（ｃ）に示される態様にて、タイミング発生部４００から制御部２３０に対しプリチャージ指令信号ＰＣＧが送られる。
【００４４】
こうしてプリチャージ指令信号ＰＣＧが送られることにより、これを受けた制御部２３０では上述のように、定電圧制御、すなわちクロックの間引きを一時的に停止する。これにより低電圧発生用チャージポンプ２１０では、その最大昇圧能力近傍まで、出力電圧ＶＳＳの過昇圧（プリチャージ）が行われるようになる。この態様を図３（ｅ）に実線ＰＧとして示す。
【００４５】
そしてその後、図３（ｄ）に示される態様で、上記フレームシフトパルスＦＳＰの出力に基づく垂直転送動作が開始されると、その大きな電流消費によって、上記出力電圧ＶＳＳには、図３（ｅ）に実線ＶＤとして示すような電圧降下が生じるようになる。この電圧降下ＶＤは、上記垂直転送動作の実行期間にわたって継続されることとなるが、本実施形態では、予め上記出力電圧ＶＳＳに対する過昇圧（プリチャージ）が行われていることから、その影響も最小限に抑えられ、しかもその後、上記制御部２３０による定電圧制御が再開されたとしても、その目標とする制御電圧（例えば−６Ｖ）への復帰時間は大幅に短縮されるようになる。
【００４６】
なお、図３（ｅ）に２点鎖線にて示す上記出力電圧ＶＳＳの推移は、同電圧ＶＳＳにこうした過昇圧（プリチャージ）を行わなかった場合の推移を示すものであり、この場合には、上記電圧降下ＶＤによって出力電圧ＶＳＳが大きく減衰し、またその後の目標制御電圧への復帰にも長い時間を要するようになる。そしてこの場合、垂直転送動作そのものに及ぼす影響が無視できなくなることも前述したとおりである。
【００４７】
以上説明したように、本実施形態にかかるＣＣＤ駆動装置よれば、以下に列記するような多くの優れた効果が得られるようになる。
（１）ＣＣＤイメージセンサ１００の垂直転送動作に伴って電圧降下が生じる前に、電源回路（低電圧発生回路２１０）から駆動回路（垂直ドライバ２４０、電子シャッタ２５０）に出力される電圧ＶＳＳが一時的に過昇圧されるため、同電圧降下が最小限に抑制されるようになる。また、こうして電圧降下が最小限に抑制されることで、目標とされる制御電圧への復帰時間も大幅に短縮され、ＣＣＤイメージセンサ１００の安定した動作が保証されるようになる。
【００４８】
（２）電源回路に上記出力電圧ＶＳＳを定電圧化する制御部２３０を設け、上記過昇圧に際してはこの定電圧化を非能動とする構成としたことにより、電源回路から駆動回路に出力する電圧ＶＳＳについてこれを一時的に過昇圧させる場合であれ、同電圧ＶＳＳの定電圧化と過昇圧との好適な両立を図ることができる。
【００４９】
（３）電源回路にチャージポンプ式の昇圧回路を採用するとともに、制御部２３０は、このチャージポンプ式昇圧回路に印加するクロックを間引きすることで上記定電圧化を行い、しかも上記過昇圧に際してはこのクロックの間引きを禁止する構成としたことで、電源回路をコンパクトに形成することができるとともに、比較的簡素な制御を通じて上述した定電圧化と過昇圧との両立が可能となる。
【００５０】
（４）垂直転送動作に起因する電圧降下が特に懸念されるフレームトランスファ型のＣＣＤに上記駆動装置を適用したことで、同フレームトランスファ型ＣＣＤの安定した動作を保証することができる。
【００５１】
（５）駆動回路を構成する垂直ドライバ２４０及び電子シャッタ２５０と、電源回路を構成する低電圧発生用チャージポンプ２１０及び高電圧発生用チャージポンプ２２０及び制御部２３０とを、１チップの半導体集積回路（ＩＣ）として一体化したことで、ＣＣＤ駆動装置としてのコストの低減や歩留まりの向上を図ることができるようになる。
【００５２】
（６）また、フレームトランスファ型ＣＣＤの駆動回路のうち、半導体集積回路装置として、より高い耐電圧構造が要求される垂直ドライバ２４０や電子シャッタ２５０と、半導体集積回路装置としては本来が高い耐圧構造が要求される電源回路とを１チップとして一体化したことで、構造的に、あるいは、製造方法的にもその実現が容易である。
【００５３】
（７）ＣＣＤイメージセンサ１００からの撮像信号の出力が停止されている期間を利用して電源回路が励振されるようにしたことで、上記各回路を１チップの半導体集積回路装置として一体化する場合であっても、それに起因するノイズの発生を回避することができる。
【００５４】
（８）図３に示されるように、ＣＣＤイメージセンサ１００からの撮像信号出力が停止されている期間のうち、特に垂直転送が行われる前後には、通常大きなブランク期間が存在する。このため上述のように、ＣＣＤイメージセンサ１００からの撮像信号出力が停止されている期間を利用して電源回路が励振される場合であれ、該ブランク期間を最大限に利用した効率のよい過昇圧（プリチャージ）がおこなわれる。
【００５５】
なお、上記実施形態は以下のように変更して実施してもよい。
・上記実施形態においては、プリチャージ指令信号ＰＣＧが図３（ｃ）に示される態様をもって送出されるとしたが、その立下り時期は同態様に限られるものではない。同プリチャージ指令信号ＰＣＧは要は、少なくともフレームシフトパルスＦＳＰの出力開始時期までその立上り期間が保持されていればよい。
【００５６】
・上記実施形態においては電源回路と駆動回路を構成する垂直ドライバ２４０や電子シャッタ２５０とが１チップのＩＣとして構成される場合について例示したが、それら各回路が各別のチップとして構成されるものについても、本発明は同様に適用することができる。
【００５７】
・またその場合、それらの回路の配置、搭載態様等によっては、必ずしも電源回路の励振時期や、励振期間を制限する必要もない。
・上記実施形態においては、フレームトランスファ型のＣＣＤに上記駆動装置を適用する場合について示したが、本発明にかかるＣＣＤ駆動装置は、前記インターライン型のＣＣＤについても同様に適用することができる。
【００５８】
・上記実施形態においては、電源回路にチャージポンプ式昇圧回路を採用したが、他の昇圧回路も適宜採用可能である。またその場合、その定電圧制御の手法としても、それら採用する昇圧回路に応じた手法を採用することができる。昇圧回路として要は、過昇圧される分を見込んで、定電圧制御される電圧よりも高い昇圧能力を有する回路でありさえすればよい。
【００５９】
・更に、電源回路は必ずしも定電圧制御されている必要はなく、その出力電圧を一時的に過昇圧する手段を備えるものであればよい。
・その他、上記実施形態においては、システム電源電圧ＶＤＤとして例えば「＋３．３Ｖ」が用いられ、電源回路の出力電圧ＶＳＳとして例えば「−６Ｖ」が用いられるとしたが、これら電圧の設定は任意である。また、上記実施形態においては、ＣＲＴ走査特性に同期するかたちで撮像信号の転送を行う場合について示したが、この転送態様についても任意に変更可能である。
【図面の簡単な説明】
【図１】本発明にかかるＣＣＤ駆動装置一実施形態を示すブロック図。
【図２】同実施形態の低電圧発生用チャージポンプの具体例を示す回路図。
【図３】同実施形態の動作態様を示すタイミングチャート。
【符号の説明】
１００…ＣＣＤイメージセンサ、１１０…撮像部、１２０…蓄積部、１３０…水平転送部、２００…電源・駆動回路ＩＣ、２１０低電圧発生用チャージポンプ、２２０…高電圧発生用チャージポンプ、２３０…制御部、２４０…垂直ドライバ、２５０…電子シャッタ、３００…水平ドライバ、４００…タイミング発生部。
【図１】
0003939064.tif 000002
【図２】
0003939064.tif 000003
【図３】
0003939064.tif 000004